(57)【要約】【課題】次亜塩素酸の気体を揮発させ殺菌を行う気化式の空間殺菌装置において、必要とされる風量と次亜塩素酸ガスの濃度との組み合わせに応じて、室内空間へ放出する気体状の次亜塩素酸の濃度を、短時間で調節することができる空間殺菌装置を提供する。【解決手段】隔壁２３には、フィルタ７よりも送風装置６に近い位置で吸気口３の通風路５と吹出口４側の通風路を連通させる開口２４と、該開口２４を開閉する通風路切替装置１１とを備えたことで、室内空間より取り込んだ空気の一部をフィルタ７に接触させることなく、吹出口４より室内へ放出することができる。特に、フィルタ７よりも送風装置６に近い位置で開口２４を開閉する構成としたので、風路抵抗の大きなフィルタ７側へ流す空気の量を容易に調整することができる。通風路切替装置１１によって開口２４の開閉を行うと室内空間より取り込んだ空気とフィルタ７との接触率を変更する。【選択図】図２
2019170597.tif 000002
【特許請求の範囲】
【請求項１】
吸気口と吹出口とを有した本体ケースと、
前記本体ケースの内には、
次亜塩素酸を揮発させる空気浄化手段と、前記吸気口から前記空気浄化手段を介して前記吹出口までを連通する通風路と、前記吹出口の側に配置し前記通風路を通過させた空気を該本体ケースの外へ排出する送風装置と、前記吹出口から吹き出される次亜塩素酸の濃度を制御する制御部とを備え、
前記空気浄化手段は、次亜塩素酸を含有する次亜塩素酸水を保持するトレイと、空気を接触させることによって含有する次亜塩素酸を揮発させる通風揮発手段であるフィルタとを有し、
前記通風路は、前記吸気口から前記空気浄化手段までの往路と前記空気浄化手段から吹出口までの復路を隔壁によって分離され、前記空気浄化手段が折り返し点となるように形成され、前記隔壁は、前記フィルタよりも送風装置に近い位置で前記吸気口の風路と吹出口側の通風路を連通させる開口と、該開口を開閉する通風路切替装置とを備え、
前記制御部は、室内空間に次亜塩素酸を含んだ空気を拡散させる拡散運転と人体に次亜塩素酸を含んだ空気を当てるスポット運転とを切り替える運転制御を行う制御手段を備え、
前記制御部は、前記通風路切替装置によって前記室内空間へ放出する気体状の次亜塩素酸の濃度を調節する空間殺菌装置。
【請求項２】
前記通風路切替装置は、前記開口を通じて前記吸気口の通風路から吹出口側の通風路へ流す空気の流量を段階的変化させる請求項１に記載の空間殺菌装置。
【請求項３】
前記拡散運転と前記スポット運転のそれぞれの運転実施時間から算出可能な前記トレイの内の次亜塩素酸水中の消費した次亜塩素酸消費量に合わせて電気分解時間を決定し、本体運転開始から所定の時間で決定した時間分の電気分解を行うように電解手段を制御する制御手段を備えた請求項１または２に記載の空間殺菌装置。
【発明の詳細な説明】
【技術分野】
【０００１】
本発明は、細菌やウィルスなどの浮遊微生物を除去する空間殺菌装置に関する。
【背景技術】
【０００２】
従来、この種の空間殺菌装置のなかには、本体内にトレイを設け、そのトレイに満たされた次亜塩素酸水にフィルタを含侵させ、吸込み口より取り込んだ空気をフィルタに接触させることで次亜塩素酸の気体を揮発させ、送風手段により装置外へ放出し、殺菌を行う気化式殺菌装置があった。
【０００３】
このような装置では、揮発する次亜塩素酸の濃度はトレイ内の次亜塩素酸水の濃度と吹き出し風量によって管理されていた。トレイ内の次亜塩素酸水の濃度を上げるためには電気分解の実施が必要であり、大抵数分以上の時間を要する。次亜塩素酸水の濃度を下げることはより困難であり、トレイ内の次亜塩素酸水の一部を排水し、水をトレイに追加することで濃度を薄める方法を取るため、排水タンクの交換などの使用者の手間が必要である。
【先行技術文献】
【特許文献】
【０００４】
【特許文献１】特開２０１２−０５２６９９号公報
【発明の概要】
【発明が解決しようとする課題】
【０００５】
このような従来の空気浄化装置においては、吹き出す次亜塩素酸ガスの濃度は、主に吹出す風量と、トレイ内の次亜塩素酸水の濃度によって決定される。次亜塩素酸ガスを室内空間へ拡散させる運転と、次亜塩素酸ガスを人へ直接当てるスポット運転では求められるガス濃度は異なり、求められる吹き出し風量は目的によって決定される。この場合にトレイ内の次亜塩素酸水の濃度の調節では吹き出す次亜塩素酸ガスの濃度を素早く切り替えることが困難であった。
【０００６】
そこで、必要とされる風量と次亜塩素酸ガスの濃度との組み合わせに応じて、室内空間へ放出する気体状の次亜塩素酸の濃度を短時間で調節することができる空間殺菌装置を提供することを目的とする。
【課題を解決するための手段】
【０００７】
そして、この目的を達成するために、本発明に係る空間殺菌装置は、吸気口と吹出口とを有した本体ケースと、前記本体ケース内には、次亜塩素酸を揮発させる空気浄化手段と、前記吸気口から前記空気浄化手段を介して前記吹出口までを連通する通風路と、前記吹出口側に配置し前記通風路を通過させた空気を該本体ケース外へ排出する送風装置と、前記吹出口から吹き出される次亜塩素酸の濃度を制御する制御部とを備え、前記空気浄化手段は、次亜塩素酸を含有する次亜塩素酸水を保持するトレイと、空気を接触させることによって含有する次亜塩素酸を揮発させる通風揮発手段であるフィルタとを有し、前記通風路は、前記吸気口から前記空気浄化手段までの往路と前記空気浄化手段から吹出口までの復路を隔壁によって分離され、前記空気浄化手段が折り返し点となるように形成され、前記隔壁は、前記フィルタよりも送風装置に近い位置で前記吸気口の風路と吹出口側の通風路を連通させる開口と、該開口を開閉する風路切り替え装置とを備え、前記制御部は、室内空間に次亜塩素酸を含んだ空気を拡散させる拡散運転と人体に次亜塩素酸を含んだ空気を当てるスポット運転とを切り替える運転制御を行う制御手段を備え、前記制御部は、前記風路切り替え装置によって前記室内空間へ放出する気体状の次亜塩素酸の濃度を調節する構成としたものであり、これにより所期の目的を達成するものである。
【発明の効果】
【０００８】
本発明によれば、吸気口と吹出口とを有した本体ケースと、前記本体ケースの内には、次亜塩素酸を揮発させる空気浄化手段と、前記吸気口から前記空気浄化手段を介して前記吹出口までを連通する通風路と、前記吹出口の側に配置し前記通風路を通過させた空気を該本体ケースの外へ排出する送風装置と、前記吹出口から吹き出される次亜塩素酸の濃度を制御する制御部とを備え、前記空気浄化手段は、次亜塩素酸を含有する次亜塩素酸水を保持するトレイと、空気を接触させることによって含有する次亜塩素酸を揮発させる通風揮発手段であるフィルタとを有し、前記通風路は、前記吸気口から前記空気浄化手段までの往路と前記空気浄化手段から吹出口までの復路を隔壁によって分離され、前記空気浄化手段が折り返し点となるように形成され、前記隔壁は、前記フィルタよりも送風装置に近い位置で前記吸気口の風路と吹出口側の通風路を連通させる開口と、該開口を開閉する風路切り替え装置とを備え、前記制御部は、室内空間に次亜塩素酸を含んだ空気を拡散させる拡散運転と人体に次亜塩素酸を含んだ空気を当てるスポット運転とを切り替える運転制御を行う制御手段を備え、前記制御部は、前記風路切り替え装置によって前記室内空間へ放出する気体状の次亜塩素酸の濃度を調節する構成としたことにより、短時間で前記室内空間へ放出する気体状の次亜塩素酸の濃度を調節し、目的の運転への切り替えを行うことのできる空間殺菌装置を提供することができる。
【図面の簡単な説明】
【０００９】
【図１】本発明の実施の形態１、２、３の空間殺菌装置の概略図
【図２】同空間殺菌装置の断面の概略図
【図３】同空間殺菌装置のトレイの平面の概略図
【発明を実施するための形態】
【００１０】
本発明の請求項１に係る空間殺菌装置は、吸気口と吹出口とを有した本体ケースと、前記本体ケースの内には、次亜塩素酸を揮発させる空気浄化手段と、前記吸気口から前記空気浄化手段を介して前記吹出口までを連通する通風路と、前記吹出口の側に配置し前記通風路を通過させた空気を該本体ケースの外へ排出する送風装置と、前記吹出口から吹き出される次亜塩素酸の濃度を制御する制御部とを備え、前記空気浄化手段は、次亜塩素酸を含有する次亜塩素酸水を保持するトレイと、空気を接触させることによって含有する次亜塩素酸を揮発させる通風揮発手段であるフィルタとを有し、前記通風路は、前記吸気口から前記空気浄化手段までの往路と前記空気浄化手段から吹出口までの復路を隔壁によって分離され、前記空気浄化手段が折り返し点となるように形成され、前記隔壁は、前記フィルタよりも送風装置に近い位置で前記吸気口の通風路と吹出口側の通風路を連通させる開口と、該開口を開閉する通風路切替装置とを備え、前記制御部は、室内空間に次亜塩素酸を含んだ空気を拡散させる拡散運転と人体に次亜塩素酸を含んだ空気を当てるスポット運転とを切り替える運転制御を行う制御手段を備え、前記制御部は、前記通風路切替装置によって前記室内空間へ放出する気体状の次亜塩素酸の濃度を調節するものである。
【００１１】
これにより、通風路切替装置でバイパス流路を開閉することでフィルタを通過する空気の流量を調整することができるので、室内空間より取り込んだ空気とフィルタとの接触率を変更して、室内空間へ放出する気体状の次亜塩素酸の濃度を短時間で調節することができる空間殺菌装置を提供することができる。
【００１２】
また、請求項２に係る空間殺菌装置は、前記通風路切替装置は、前記吸気口の通風路から吹出口側の通風路へ流す空気の流量を段階的変化させるものである。
【００１３】
これにより、殺菌運転の終了時に前記制御手段によって前記通風路切替装置が、筐体内の吸気口から吹出口までの通風路を前記フィルタを介さない状態に切り替えることによって、放出する次亜塩素酸濃度を細かく調整可能になり、サーキュレーション運転時は室内に残存している次亜塩素酸を攪拌し、その殺菌作用を高めることが可能になる。
【００１４】
また、請求項３に係る空間殺菌装置は、前記室内拡散運転と前記スポット運転のそれぞれの運転実施時間の合計時間から算出可能な、前記トレイの内の次亜塩素酸水中の消費した次亜塩素酸消費量に合わせて電気分解時間を決定し、その決定した時間分の電気分解を本体運転開始から所定の時間で行うように電解手段を制御する制御手段を備えたものである。
【００１５】
これにより、電気分解後のトレイ内の次亜塩素酸水の濃度の再現性を高め、前記空間殺菌装置が安定的に殺菌運転を行うことが可能になる。
【００１６】
以下、本発明の実施の形態について図面を参照しながら説明する。
【００１７】
（実施の形態１）
図１に本実施の形態の空間殺菌装置１の外観を示す。
【００１８】
図１に示すように、略箱形状の本体ケース２を備え、その両側面には室内空気を吸い込む略四角形状の吸気口３と、天面には浄化された空気を吹き出す略四角形状の吹出口４を設けている。
【００１９】
図２に示すように、本体ケース２内部には、通風路５と、送風装置６と、フィルタ７と、給水タンク８と、排水タンク９と、トレイ１０と、通風路切替装置１１と、制御部１２とが設けられている。
【００２０】
通風路５は、本体ケース２の内部において、フィルタ７と送風装置６を通る風路であって、吸気口３から吹出口４とを連通させている。
【００２１】
送風装置６は、本体ケース２の上部に設けられ、吹出口４に接続されている。送風装置６は、一例として、モータとモータにより回転する羽根車と該モータと羽根車を囲むケースとから構成されるいわゆるシロッコファンを備えることが望ましい。
【００２２】
フィルタ７は、その表面に複数の開口部を有する回転可能な中空円筒形状体であり、送風装置６よりも気流の上流側において、フィルタ７の表面が空気風路を遮るように設けられている。
【００２３】
給水タンク８と排水タンク９とトレイ１０は、本体ケース２の下部に設けられており、これらは本体ケース２から取り外すことが可能である。
【００２４】
給水タンク８は、電解対象液として塩化ナトリウム溶液を貯留しており、トレイ１０内の塩化ナトリウム溶液の量に応じて、新たに塩化ナトリウム溶液を供給するものである。なお、電解対象液の貯留量は、一回の殺菌工程で給水タンク８への貯留がなくなる量である。
【００２５】
排水タンク９は、貯留槽部１３の内部の溶解液を排出するものである。
【００２６】
貯留槽部１３の内部の溶解液を排水タンク９に排出できるように排水手段１４を備えている。排水手段１４は、貯留槽部１３側に配置したポンプ１５とポンプ１５から排水タンク９側へ接続した配管１６とで構成している。
【００２７】
トレイ１０内には、電極１７を有する電解槽部１８と、排水手段１４と水移送部１９を有する貯留槽部１３とが設けられている。電解槽部１８は、給水タンク８から供給された塩化ナトリウムを電極１７で電気分解して溶解液として次亜塩素酸水を生成するものである。貯留槽部１３内部において、フィルタ７の下部を前記溶解液に浸漬させている。
【００２８】
貯留槽部１３と電解槽部１８とは、仕切り板２０によって区切られている。仕切り板２０において、貯留槽部１３と電解槽部１８間での前記溶解液の移動を制限するために、仕切り板２０の一端側の下部に隙間２１を備えている。
【００２９】
水移送部１９は、貯留槽部１３の貯留水を電解槽部１８へと移送できるように貯留槽部１３側に配置したポンプ１５とポンプ１５から電解槽部１８側へ接続した配管１６とで構成している。図３に示すように、ポンプ１５は、隙間２１を備えた仕切り板２０の前記一端側ではなく仕切り板２０の他端側に配置している。
【００３０】
貯留槽部１３の貯留水を電解槽部１８へ移送すると、電解槽部１８で生成した次亜塩素酸水は、隙間２１を通過して貯留槽部１３側へ供給されるものである。
【００３１】
本実施の形態では、貯留槽部１３の貯留水を電解槽部１８へ移送することにともない、隙間２１を通過して電解槽部１８から貯留槽部１３への貯留水（次亜塩素酸水）の移動を引き起こしトレイ１０内の貯留水を循環させることができるものである。
【００３２】
フィルタ７に電気分解した次亜塩素酸水を供給するためには、図３に示すようにフィルタ７の回転軸２２と仕切り板２０を並行にして設けることが好ましい。
【００３３】
通風路５は、吸気口３からフィルタ７までの往路とフィルタ７から吹出口４までの復路を隔壁２３によって分離され、フィルタ７が折り返し点となるように形成されている。隔壁２３は、フィルタ７よりも送風装置６に近い位置で吸気口３側の通風路５と吹出口４側の通風路５を連通させる開口２４と、該開口を開閉する通風路切替装置１１とを備えている。開口２４によってバイパス流路が開閉することでフィルタ７を通過する空気の流量を調整することができる。
【００３４】
制御部１２は、本体ケース２内に設けられており、室内空間に次亜塩素酸を含んだ空気を拡散させる拡散運転と人体に次亜塩素酸を含んだ空気を当てるスポット運転とを切り替える運転制御を行うものであり、水移送部１９と電極１７と送風装置６の動作と通風路切替装置１１を制御するものであり、室内空間へ放出する気体状の次亜塩素酸の濃度を調節するものである。
【００３５】
拡散運転時は通風路切替装置１１により開口２４は閉状態となり、スポット運転時には通風路切替装置１１により開口２４は開状態となるものである。
【００３６】
続いて空間殺菌装置１の動作のうち本実施の形態に係る部分の主要な動作について説明する。
【００３７】
上記構成において、空間殺菌装置１の動作前に給水タンク８を取り付け、トレイ１０内に塩化ナトリウム溶液を供給する。なお、給水タンク８の内容物を水道水とし、塩化ナトリウムのタブレットを使用者がトレイ１０内に投入する形式としてもよい。
【００３８】
空間殺菌装置１を動作させると、まず、水移送部１９が動作しトレイ１０内で塩化ナトリウム溶液が攪拌される。次に、電極１７が動作し電解槽部１８内に存在する塩化ナトリウムが消費されて次亜塩素酸水が生成される。この次亜塩素酸水は仕切り板２０の隙間２１を通って貯留槽部１３に備えられたフィルタ７に供給される。
【００３９】
そして、殺菌運転において、送風装置６が動作すると、室内空間の空気は、吸気口３から空間殺菌装置１内に吸い込まれ、通風路５を流れてフィルタ７に接触し、吹出口４から空間殺菌装置１外の室内空間に排出される。この空気はフィルタ７と接触した際に除菌脱臭される。また、空気を所定の速度でフィルタ７に接触させることは次亜塩素酸の揮発特性を高め、吹出口４からの排出時には気体状の次亜塩素酸を十分に含んだ空気となり、除菌脱臭効果を発揮する。つまり、空間殺菌装置１は除菌脱臭効果を奏する。
【００４０】
制御部１２は、使用者の操作によって前記殺菌運転時に、室内空間に次亜塩素酸を含んだ空気を拡散させる拡散運転と人体に次亜塩素酸を含んだ空気を当てるスポット運転とを切り替えを行うものであり、制御部１２は、通風路切替装置１１によって室内空間へ放出する気体状の次亜塩素酸の濃度を調節するものである。
【００４１】
通風路切替装置１１は隔壁２３に設けられた開口２４を開閉するものであり、開口２４によってバイパス流路が開閉することでフィルタ７を通過する空気の流量を調整することができる。拡散運転時は通風路切替装置１１により開口２４は閉状態となり、吸気口３から空間殺菌装置１内に吸い込まれた空気は、全てフィルタ７に接触し、吹出口４から空間殺菌装置１外の室内空間に排出される。この時室内空間全体を殺菌するために高濃度域の気体次亜塩素酸が排出されている。スポット運転時には通風路切替装置１１により開口２４は開状態となり、吸気口３から空間殺菌装置１内に吸い込まれた空気は、一部は開口２４を通るバイパス流路を流れて吹出口４から空間殺菌装置１外の室内空間に排出され、一部はフィルタ７に接触し、吹出口４から空間殺菌装置１外の室内空間に排出される。この時人体を殺菌するために安全性を考慮した低濃度域の気体次亜塩素酸を排出することができる。
【００４２】
隔壁２３には、フィルタ７よりも送風装置６に近い位置で吸気口３の通風路５と吹出口４側の通風路を連通させる開口２４と、該開口２４を開閉する通風路切替装置１１とを備えたことで、室内空間より取り込んだ空気の一部をフィルタ７に接触させることなく、吹出口４より室内へ放出することができる。特に、フィルタ７よりも送風装置６に近い位置で開口２４を開閉する構成としたので、風路抵抗の大きなフィルタ７側へ流す空気の量を容易に調整することができる。
【００４３】
このようにして、通風路切替装置１１によって開口２４の開閉を行うと室内空間より取り込んだ空気とフィルタ７との接触率を変更して、室内空間へ放出する気体状の次亜塩素酸の濃度を短時間で調節することができる。つまり、開口２４の開閉を行い室内空間より取り込んだ空気とフィルタ７との接触率を調整することは、次亜塩素酸水の濃度を調整することに比べて、室内空間へ放出する気体状の次亜塩素酸の濃度を短時間で調節することができる空間殺菌装置を提供することができる。
【００４４】
（実施の形態２）
実施の形態１の構成において、空間殺菌装置１は、吹出口４より室内空間へ放出する気体状の次亜塩素酸の濃度を細かく調節できることが望ましい。
【００４５】
そこで、本実施の形態では、図２に示すように、制御部１２の制御により通風路切替装置１１は隔壁２３に設けられた開口２４を段階的に開閉するものであり、開口２４の開き度合によってバイパス流路へ流入する空気の量を調節することで、フィルタ７を通過する空気の流量を調整することができる。
【００４６】
この動作を行うことにより、室内空間より取り込んだ空気とフィルタ７との接触率を細かく調節することができる。
【００４７】
このようにして、空間殺菌装置１は目的や臭気等の好みに合わせて室内空間へ放出する気体状の次亜塩素酸の濃度を短時間で細かく調節することができる。
【００４８】
（実施の形態３）
実施の形態１、２の構成において、空間殺菌装置１は、吹出口４より室内空間へ放出する気体状の次亜塩素酸の濃度が運転ごとに再現性が高く、殺菌性能が安定していることが望ましい。また、室内空間より取り込んだ空気とフィルタ７との接触率による次亜塩素酸の揮発量の変化に伴い、トレイ１０に満たされた次亜塩素酸水の濃度の減少量も変化する。
【００４９】
そこで、本実施の形態では、運転開始より所定の時間において、制御部１２が、室内空間より取り込んだ空気とフィルタ７との接触率が異なる運転の各運転実施時間から算出可能なトレイ１０内の次亜塩素酸水中の消費した次亜塩素酸消費量に合わせて電気分解時間を決定し、本体運転開始から所定の時間で決定した時間分の電気分解を行うように電極１７を制御することで、トレイ１０内の次亜塩素酸水の濃度を運転前と同等にすることができる。
【００５０】
この動作を行うことにより、電気分解後のトレイ１０内の次亜塩素酸水の濃度の再現性を高め、空間殺菌装置１はより安定的に殺菌運転を行うことができる。
【産業上の利用可能性】
【００５１】
本発明に係る空間殺菌装置は、気体状の次亜塩素酸による空間殺菌の運転時に風路切り替え装置によって室内空間より取り込んだ空気とフィルタとの接触率を変更することで、求められる風量で、室内空間へ放出する気体状の次亜塩素酸の濃度を次亜塩素酸水の濃度を調整することに比べて短時間で調節することができる。室内空間へ放出する気体状の次亜塩素酸の濃度を短時間で調節することを可能とするもので、医療施設や介護施設等の明確な除菌脱臭目的が存在する空間において、使用目的に合わせて吹き出し濃度の変更が容易な空間殺菌装置として有用である。
【符号の説明】
【００５２】
１    空間殺菌装置
２    本体ケース
３    吸気口
４    吹出口
５    通風路
６    送風装置
７    フィルタ
８    給水タンク
９    排水タンク
１０    トレイ
１１    通風路切替装置
１２    制御部
１３    貯留槽部
１４    排水手段
１５    ポンプ
１６    配管
１７    電極
１８    電解槽部
１９    水移送部
２０    仕切り板
２１    隙間
２２    回転軸
２３    隔壁
２４    開口
【図１】
2019170597.tif 000003
【図２】
2019170597.tif 000004
【図３】
2019170597.tif 000005